(57)【要約】【課題】用紙サイズの誤設定を低コストで回避できるようにする給紙トレイを提供する。【解決手段】用紙を載置した状態で複写機本体１に引き出し差し込みが可能な箱体２と、箱体２を引き出した際に弾性体に付勢されて外部へ突出し得るように箱体２の前縁上部に設けたストッパ３とを備え、ストッパ３の形状を、箱体２内へストッパ３を押し戻さないと複写機本体１への箱体２が差し込みが不能となるように設定し、用紙サイズを正しく設定する旨の表記をストッパ３に施しておき、ユーザに用紙サイズの設定の確認を促すような構成とした。【選択図】　　　　図１
2004099239.tif 000002
【特許請求の範囲】
【請求項１】
用紙を載置した状態で画像形成装置に引き出し及び差し込みが可能な箱体と、該箱体を引き出した際に弾性体に付勢されて外部へ突出し得るように箱体所定箇所に設けたストッパとを備え、当該ストッパの形状を、箱体内へストッパを押し戻さないと画像形成装置への箱体が差し込みが不能となるように設定し、用紙サイズを正しく設定する旨の表記をストッパに施したことを特徴とする給紙トレイ。
【請求項２】
平常時にはストッパを箱体から突出しない位置に拘束し且つ箱体内に設けた用紙の位置設定用の押え板に連動してストッパの拘束を解除する留め具を設けた請求項１に記載の給紙トレイ。
【請求項３】
用紙を載置した状態で画像形成装置に引き出し及び差し込みが可能な箱体と、該箱体を引き出した際に弾性体に付勢されて外部へ突出し得るように箱体所定箇所に設けた用紙サイズ設定ダイヤルとを備え、当該ダイヤルの形状を、箱体内へダイヤルを押し戻さないと画像形成装置への箱体が差し込みが不能となるように設定したことを特徴とする給紙トレイ。
【請求項４】
平常時にはダイヤルを箱体から突出しない位置に拘束し且つ箱体内に設けた用紙の位置設定用の押え板に連動してダイヤルの拘束を解除する留め具を設けた請求項３に記載の給紙トレイ。
【請求項５】
用紙を載置した状態で画像形成装置に引き出し及び差し込みが可能な箱体と、該箱体を引き出した際に弾性体に付勢されて用紙サイズの設定が不定状態に戻り得るように箱体所定箇所に設けた用紙サイズ設定ダイヤルとを備えたことを特徴とする給紙トレイ。
【請求項６】
平常時にはダイヤルを設定された位置に拘束し且つ箱体内に設けた用紙の位置設定用の押え板に連動してダイヤルの拘束を解除する留め具を設けた請求項５に記載の給紙トレイ。
【発明の詳細な説明】
【０００１】
【発明の属する技術分野】
本発明は、プリンタ、複写機、ファックスなどの画像形成装置に組み込む給紙トレイに関するものである。
【０００２】
【従来の技術】
複写機などのような画像形成装置に組み込む給紙トレイでは、サイズの異なるコピー用紙に入れ替えた後、当該コピー用紙に対応するように給紙トレイの用紙サイズ設定を正しく行なう必要があるが、しばしばその設定が忘れられることにより、正しい用紙サイズの情報が本体制御部に伝達されず、ミスコピーの原因となっている。
【０００３】
そこで、特許文献１に開示されている印刷装置では、センサーと制御装置を積極的に利用して、自動的に用紙サイズを取得するようにしている。
【０００４】
【特許文献１】
特開２００１−１３９１５５号公報
【０００５】
【発明が解決しようとする課題】
しかしながら、上記公報の印刷装置では、多数のセンサーが必要になるため、製作コストの低減が困難である。
【０００６】
本発明は上述した実情に鑑みてなしたもので、用紙サイズの誤設定を低コストで回避できるようにする給紙トレイを提供することを目的としている。
【０００７】
【課題を解決するための手段】
上記目的を達成するために、請求項１に記載の発明は、用紙を載置した状態で画像形成装置に引き出し及び差し込みが可能な箱体と、該箱体を引き出した際に弾性体に付勢されて外部へ突出し得るように箱体所定箇所に設けたストッパとを備え、当該ストッパの形状を、箱体内へストッパを押し戻さないと画像形成装置への箱体が差し込みが不能となるように設定し、用紙サイズを正しく設定する旨の表記をストッパに施した給紙トレイを最も主要な特徴とする。
【０００８】
請求項２に記載の発明は、平常時にはストッパを箱体から突出しない位置に拘束し且つ箱体内に設けた用紙の位置設定用の押え板に連動してストッパの拘束を解除する留め具を設けた給紙トレイを主要な特徴とする。
【０００９】
請求項３に記載の発明は、用紙を載置した状態で画像形成装置に引き出し及び差し込みが可能な箱体と、該箱体を引き出した際に弾性体に付勢されて外部へ突出し得るように箱体所定箇所に設けた用紙サイズ設定ダイヤルとを備え、当該ダイヤルの形状を、箱体内へダイヤルを押し戻さないと画像形成装置への箱体が差し込みが不能となるように設定した給紙トレイを最も主要な特徴とする。
【００１０】
請求項４に記載の発明は、平常時にはダイヤルを箱体から突出しない位置に拘束し且つ箱体内に設けた用紙の位置設定用の押え板に連動してダイヤルの拘束を解除する留め具を設けた給紙トレイを主要な特徴とする。
【００１１】
請求項５に記載の発明は、用紙を載置した状態で画像形成装置に引き出し及び差し込みが可能な箱体と、該箱体を引き出した際に弾性体に付勢されて用紙サイズの設定が不定状態に戻り得るように箱体所定箇所に設けた用紙サイズ設定ダイヤルとを備えた給紙トレイを最も主要な特徴とする。
【００１２】
請求項６に記載の発明は、平常時にはダイヤルを設定された位置に拘束し且つ箱体内に設けた用紙の位置設定用の押え板に連動してダイヤルの拘束を解除する留め具を設けた給紙トレイを主要な特徴とする。
【００１３】
請求項１に記載の発明では、画像形成装置から箱体を引く出すと、該箱体から弾性体により付勢されているストッパが突出して、ユーザに用紙サイズの設定の確認を促し、簡単に箱体を画像形成装置へ差し込むことができない状態にする。
【００１４】
請求項２に記載の発明では、押え板を移動させないと、ストッパが突出せず、用紙の補給や状態を確認するときのストッパの押し込み操作を省く。
【００１５】
請求項３に記載の発明では、画像形成装置から箱体を引く出すと、該箱体から弾性体により付勢されているダイヤルが突出して、ユーザに用紙サイズの設定の確認を促し、簡単に箱体を画像形成装置へ差し込むことができない状態にする。
【００１６】
請求項４に記載の発明では、押え板を移動させないと、ダイヤルが突出せず、用紙の補給や状態の確認するときにダイヤルの押し込み操作を省く。
【００１７】
請求項５に記載の発明では、画像形成装置から箱体を引く出すと、用紙サイズの設定が不定状態にダイヤルが戻り、ユーザに用紙サイズの設定の確認を促す。
【００１８】
請求項６に記載の発明では、押え板を移動させないと、用紙サイズが不定状態にダイヤルが戻らず、用紙の補給や状態の確認するときにダイヤルの戻し操作を省く。
【００１９】
【発明の実施の形態】
以下、図面により本発明の実施の形態を詳細に説明する。
図１乃至図４は本発明の給紙トレイの実施の形態の第１の例である。この給紙トレイは、複写機本体１に対して抜き差し可能な箱体２の前縁上部にストッパ３を設け、箱体２を複写機本体１に差し込む際に、ストッパ３が複写機本体１の前面に当接するようにしている。
【００２０】
ストッパ３は、箱体２の引出方向側へ徐々に厚みが減ずる中空構造の略楔状体であり、箱体２の引出方向寄り箇所が、横方向へ延びる軸４により箱体２に枢支されている。
【００２１】
ストッパ３の内部には、屈折した形状の板バネ５が、その上辺がストッパ３の内側面上部に当接するように装着されており、当該板バネ５の下辺は、箱体２に対して係止されている。
【００２２】
また、ストッパ３の両側部には、箱体２の前縁上部内側面に当接可能な突起６が形成されており、当該突起６により、板バネ５の弾性力でストッパ３が箱体２から離脱することを防止している。
【００２３】
更に、ストッパ３の上面には、「用紙サイズを正しく設定してから給紙トレイを閉じてください」という文言が表記されている。なお、図１に付した符号７は、用紙サイズ設定ダイヤルである。
【００２４】
複写機本体１に差し込まれている箱体２を引き出す際には、ストッパ３の上面が複写機本体１の前面開口部の上内縁を摺動し、当該開口部をストッパ３が通過すると、板バネ５の弾性力によって箱体２からストッパ３が突出する。
【００２５】
これにより、ストッパ３上面の表記をユーザが目視可能な状態になって、用紙サイズを正しく設定すべきであることをユーザが認識できるようになる。
【００２６】
一旦、複写機本体１から引き出した箱体２を、複写機本体１に対して差し込む際には、箱体２の前縁上面から突出しているストッパ３を、指により箱体２内へ押し込み、この状態を保持しながら、箱体２を複写機本体１へ差し込む。
【００２７】
このとき、上記の操作を行なわないと、ストッパ３の箱体２の差込方向寄りの端面が複写機本体１の前面に当接して、箱体２を複写機本体１に差し込むことができず、これにより、用紙サイズを正しく設定した否かをユーザに再認識させることが可能になる。
【００２８】
図５及び図６は本発明の給紙トレイの実施の形態の第２の例であり、図中、図１乃至図４と同一の符号を付した部分は同一物を表わしている。この給紙トレイでは、箱体２に載置すべき用紙８の大きさに応じて当該用紙８の位置を設定し得るように箱体２内に移動可能に設けた押え板９と、当該押え板９に連動するレバー１０と、該レバー１０に連結した留め具１１とを備え、当該留め具１１を、平常時にはストッパ３を箱体２から突出しない位置に拘束し且つ押え板９が移動した際にストッパ３の拘束を解除するように構成している。
【００２９】
上記の留め具１１は、箱体２の内底部に形成した横方向に延びるガイド溝１２に嵌まり込み、このガイド溝１２に沿って移動するようになっている。
【００３０】
これにより、図５及び図６に示す給紙トレイでは、複写機本体１から箱体２を引き出して用紙８のサイズを変更しない場合は、押え板９を移動させないので、留め具１１がストッパ３を拘束した状態が保持され、ストッパ３を押し込む操作をしなくても、複写機本体１へ箱体２を差し込むことができる。従って、用紙８の補給や用紙８の状態確認を行なう際のストッパ３の押し込み操作を省略できる。
【００３１】
用紙８のサイズを変更した場合は、押え板９の移動に伴って留め具１１によるストッパ３の拘束が解除され、箱体２の前縁上面からストッパ３が突出し、用紙サイズを正しく設定した否かをユーザに再認識させることが可能になる。
【００３２】
図７及び図８は本発明の給紙トレイの実施の形態の第３の例であり、図中、図１乃至図６と同一の符号を付した部分は同一物を表わしている。この給紙トレイでは、箱体２の前縁に装備した用紙サイズ設定ダイヤル７を、箱体２を引き出した際に箱体２の上方へ突出し且つ箱体２を差し込む際に複写機本体１（図１参照）の前面に当接するようにしている。
【００３３】
ダイヤル７には、箱体２の引出方向及び差込方向の双方へ同軸に突出する軸部１３が形成されている。箱体２の前縁には、上方が開口し且つダイヤル７を収納可能な空間１４が形成され、この空間１４の前後の壁部分には、上下へ延びるガイド溝１５が形成されている。
【００３４】
ガイド溝１５には、ダイヤル７の軸部１３が、回転可能に且つ上下へ移動可能に嵌まり込んでおり、ダイヤル７が、空間１４内に格納される位置とダイヤル７の一部が箱体２の前縁から上方へ突出する位置との間を昇降できるようになっている。更に、ガイド溝１５の至近には、軸部１３を上方へ向かって付勢するバネ１６が設けられている。
【００３５】
複写機本体１に差し込まれている箱体２を引き出す際には、ダイヤル７の上縁が複写機本体１の前面開口部の上内縁を摺動し、当該開口部をダイヤル７が通過すると、バネ１６の弾性力によって箱体２からダイヤル７が突出する。これにより、用紙サイズを正しく設定すべきであることをユーザが認識できるようになる。
【００３６】
一旦、複写機本体１から引き出した箱体２を、複写機本体１に対して差し込む際には、箱体２の前縁上面から突出しているダイヤル７を、指により箱体２内へ押し込み、この状態を保持しながら、箱体２を複写機本体１へ差し込む。
【００３７】
このとき、上記の操作を行なわないと、ダイヤル７の箱体２の差込方向寄りの端面が複写機本体１の前面に当接して、箱体２を複写機本体１に差し込むことができず、これにより、用紙サイズを正しく設定した否かをユーザに再認識させることが可能になる。
【００３８】
また、図５及び図６のレバー１０や留め具１１に相当する部材を設けることにより、用紙８（図５参照）の補給や状態確認を行なう際のダイヤル７の押し込み操作を省略できる。
【００３９】
図９及び図１０は発明の給紙トレイの実施の形態の第４の例であり、図中、図１乃至図８と同一の符号を付した部分は同一物を表わしている。この給紙トレイでは、箱体２の前縁に装備した用紙サイズ設定ダイヤル７を、箱体２を引き出して、押え板９（図５参照）を移動させた際に、用紙サイズ設定が不定（デフォルト）を表示する状態に戻るようにしている。
【００４０】
この給紙トレイでは、用紙サイズ設定ダイヤル７の箱体２の差込方向側の軸部１３に、ダイヤル７を周方向に付勢するゼンマイバネ１７を係止し、また、箱体２を複写機本体１から引き出すし且つ押え板９を移動させた際にダイヤル７の拘束を解除するように構成した留め具１８を、箱体２に設けている
【００４１】
複写機本体１から箱体２を引き出し且つ押え板９を移動させると、留め具１８によめダイヤル７の拘束が解除され、当該ダイヤル７がゼンマイバネ１７により用紙サイズ設定が不定を表示する状態に戻る。
【００４２】
これにより、ユーザがダイヤル７の設定を忘れてコピーなどの操作を行なったとしても、複写機処理部において用紙サイズの不一致エラーを検知できる。
【００４３】
押え板９を移動させない場合には、留め具１８がダイヤル７の回動を拘束するため、用紙８（図５参照）の補給や状態確認を行なう際のダイヤル７の戻し操作を省略できる。
【００４４】
なお、本発明の給紙トレイは、上述した実施の形態のみに限定されるものではなく、本発明の用紙を逸脱しない範囲において変更を加え得ることは勿論である。
【００４５】
【発明の効果】
以上説明したように、本発明の給紙トレイによれば下記のような種々の優れた効果を奏し得る。
【００４６】
（１）請求項１に記載の給紙トレイでは、箱体を引き出す際にストッパが突出するので、安価で耐久性のある構造で、ユーザに対して用紙サイズ設定の注意を常に喚起することができる。
【００４７】
（２）請求項２に記載の給紙トレイでは、押え板が移動しないと、ストッパが突出しないので、用紙の補給や状態確認をするときに、ストッパを押し込む操作を省くことができる。
【００４８】
（３）請求項３に記載の給紙トレイでは、箱体を引き出す際にダイヤルが突出するので、安価で耐久性のある構造で、ユーザに対して用紙サイズ設定の注意を常に且つより強く喚起することができる。
【００４９】
（４）請求項４に記載の給紙トレイでは、押え板が移動しないと、ダイヤルが突出しないので、用紙の補給や状態確認をするときに、ダイヤルを押し込む操作を省くことができる。
【００５０】
（５）請求項５に記載の給紙トレイでは、箱体を引き出す際にダイヤルが用紙サイズ設定が不定状態に戻るので、ユーザがコピー操作を行なうと、用紙サイズ不一致エラーが起き、これにより、ミスコピーを軽減することができる。
【００５１】
（６）請求項６に記載の給紙トレイでは、押え板が移動しないと、ダイヤルが戻らないので、用紙の補給や状態確認をするときに、ダイヤルを設定する操作を省くことができる。
【図面の簡単な説明】
【図１】本発明の給紙トレイの実施の形態の第１の例を示す斜視図である。
【図２】図１に関連するストッパが複写機本体に当接した状態を示す部分側面図である。
【図３】図１に関連するストッパの斜視図である。
【図４】図１に関連するストッパの作動を示す側面図である。
【図５】本発明の給紙トレイの実施の形態の第２の例を示す部分平面図である。
【図６】図５に関連するストッパと留め具の斜視図である。
【図７】本発明の給紙トレイの実施の形態の第３の例の作動を示す部分正面図である。
【図８】図７に関連するダイヤルの支持状態を示す構造図である。
【図９】本発明の給紙トレイの実施の形態の第４の例を示す部分斜視図である。
【図１０】図９に関連するダイヤルの斜視図である。
【符号の説明】
１　複写機本体（画像形成装置）
２　箱体
３　ストッパ
５　板バネ（弾性体）
７　用紙サイズ設定ダイヤル
８　用紙
９　押え板
１１　留め具
１６　バネ（弾性体）
１７　ゼンマイバネ（弾性体）
１８　留め具
【図１】
2004099239.tif 000003
【図２】
2004099239.tif 000004
【図３】
2004099239.tif 000005
【図４】
2004099239.tif 000006
【図５】
2004099239.tif 000007
【図６】
2004099239.tif 000008
【図７】
2004099239.tif 000009
【図８】
2004099239.tif 000010
【図９】
2004099239.tif 000011
【図１０】
2004099239.tif 000012